(57)【特許請求の範囲】
【請求項１】
上面(3)と歯への装着に適した底面(2)とを有するベースプレート(1)と、
前記上面(3)から突出するとともに、互いに相互距離を空けて配置され間隙(9)を形成する２個の翼部(5,6)を有する構造物(4)であって、各翼部(5,6)が、両翼部(5,6)に同一平面上で延在する長形のアーチワイヤスロット(7)によって分断され、該アーチワイヤスロット(7)が、該翼部(5,6)の各々を歯肉区分および切縁区分(5a,6a；5b,6b)に分割し、アーチワイヤを収容するのに適する構造物(4)と、
帯状材料で製作され前記構造物(4)の前記翼部歯肉区分(5a,6a)に係止されるとともに、前記翼部歯肉区分(5a,6a)にわたって延在する弧形部(13)を含み、該弧形部(13)に隣接する自由脚部(14)を有する閉じばね(12)であって、前記翼部区分(5a,5b；6a,6b)の間に延在する前記アーチワイヤスロット(7)へのアクセスが自由である開位置と、該自由脚部(14)が該アーチワイヤスロット(7)を被覆する閉位置との間で移動可能であるばねと、
で構成される歯科矯正治療用ブラケットにおいて、
前記閉じばね(12)の前記弧形部(13)により被覆される前記構造物の前記翼部歯肉区分(5a,6a)がそれぞれ、互いに対向する面に突起(10)を有し、
前記突起(10)が、所定距離を置いて前記間隙(9)内で互いに対向する自由端を有し、
前記閉じばね(12)の前記自由脚部(14)が、中央部分に舌部(17)を有し、該舌部(17)が、前記ベースプレート(1)の前記上面(3)に向かう方向において概ね直角の角度で屈曲し、
前記舌部(17)が、少なくとも自由端部(17a；17d)において、前記翼部歯肉区分(5a,6a)の間の前記間隙(9)を制限する対向面の距離よりも短く、前記突起(10)の間の距離よりも長い幅を有するのに対して、該舌部(17)の残部が、該舌部(17)の該自由端部(17a；17d)よりも幅広でなく、該自由端部(17a；17d)が、前記閉じばね(12)の前記閉位置において該突起(10)によって保持される、
ブラケット。
【請求項２】
前記舌部(17)の前記端部(17a)が、前記閉じばね(12)の前記弧形部(13)に向かう方向に曲げられた部分を有し、該曲げ部分が、該閉じばね(12)の前記閉状態において前記突起(10)の下縁より下の高さに配置される、請求項１に記載のブラケット。
【請求項３】
前記舌部(17)が、該舌部(17)の付け根の範囲に非屈曲区分(17b)を有し、該区分が両面において、スロット(14a)により、前記閉じばね(12)の前記自由脚部(14)に対して画定される、請求項１または２に記載のブラケット。
【請求項４】
前記舌部(17)が、舌部付け根に隣接する首部分(17c)を有し、該首部分(17c)が、前記突起の相互距離よりも短い幅を有し、自由端部分(17d)が、該突起(10)の相互距離よりも長いが前記翼部歯肉区分(5a,6a)の間の前記間隙(9)よりも短い幅を有し、該自由端区分が、前記ばね(12)の前記閉位置において該突起の下に当接する、請求項１に記載のブラケット。
【請求項５】
前記自由脚部(14)から部分的に切り取られて前記ベースプレートと前記翼部切縁区分(5b,6b)とに向かって曲げられる該自由脚部(14)の一部分として、前記舌部(17)が該自由脚部に形成され、前記ばね(12)の該自由脚部(14)の中に開口部(14b)が穿設される、請求項１から４の一項に記載のブラケット。
【請求項６】
前記アーチワイヤスロット(7)に隣接する前記構造物の前記翼部切縁区分(5b,6b)に、肩部(19)が形成され、前記閉じばね(12)の前記閉位置において、該閉じばね(12)の前記２個の折り曲げられていない横端部分(18)が該肩部に当接する、請求項１から４の一項に記載のブラケット。
【請求項７】
前記突起(10)の各々が、頂点エッジに始まり、前記アーチワイヤスロット(7)から離間する方向に延在するように傾斜した上面(22)を有する、請求項１から４の一項に記載のブラケット。
【請求項８】
前記突起(10)と前記アーチワイヤスロット(7)との間に若干の距離が存在し、該距離が少なくとも、前記閉じばね(12)の材料厚さと同じである、請求項１から４の一項に記載のブラケット。
【発明の詳細な説明】
【技術分野】
【０００１】
本発明は、底面と歯への装着に適した上面とを有するベースプレートであって、ベースプレートの上面には相互距離に配置された２個の翼部を有する構造物が配置され、この翼部の各々が両翼部に同一平面上で延在する長形スロットによって分断され、このスロットが各翼部を歯肉区分と切縁区分とに分割してアーチワイヤの収容に適している、ベースプレートと、構造物に係止される帯状材料製の閉じばねであって、翼部歯肉区分に延在する弧形部と弧形部に接続された自由脚部とを含み、翼部の間の範囲でスロットへのアクセスが自由である開位置と、ばねの自由脚部がスロットを被覆する閉位置との間で移動可能であるばねとを含む、歯科矯正治療用ブラケットに関連する。
【背景技術】
【０００２】
このタイプのブラケットは、例えば特許文献１から周知である。この周知のブラケットでは、スロット末端の閉じばねの弧形部の端に長形脚部が形成され、脚部の自由端は、ばねの弧形部に被覆された翼部歯肉区分の底面に形成された幅広の溝に配置される。この溝は大きな開口角度を有するため、開位置と閉位置の間で翼部歯肉区分を中心として閉じばねを旋回させることができ、溝の頂点は、ばね脚部の、溝に配置された区分の自由端にエッジとともに当接する旋回点を形成する。開位置と閉位置では、クランプ作用による固有のばね力によって、ばねに被覆された翼部歯肉区分をばねが保持する。
【０００３】
しかし、ばねを不注意に開くと、弾性リミットを越えることによりばねが時折曲がって開くため、通常はブラケット構造物の翼部歯肉区分を保持するための保持力が損なわれることが、実際上、分かっている。そのため、隣接する翼部区分でのばねのクランプ力は、ばねが翼部区分を所定の場所に保持するための手段に過ぎないので、容易に損なわれるのである。
【０００４】
上述した引例には、スロット末端の弧形部の端に伸長部を有するばねを含む別のブラケットが記載されており、この伸長部は二股で、スロットの下でスロットを横切ってブラケット構造物に対して横方向に延在する溝に収容される２本の脚部となっている。このブラケットでは、ばねを開く時の曲げプロセスには約１８０弧長の弧形部のみが利用可能なので、ばねを曲げ過ぎるという危険が存在する。
【０００５】
最後に述べたブラケットと同様のブラケットは、特許文献２から周知であり、このブラケットは、スロットを開くにはスロットに対して横方向に完全に取り外される、基本的にＵ字形に曲げられた閉じばねを含む。
【０００６】
特許文献３にも、スロットを開閉してアーチワイヤを収容するため、スロットに対して横方向にシフトできるクリップばねを有するブラケットが記載されている。
【０００７】
上述したブラケットはすべて、スロットに挿入されたアーチワイヤへばねが力を印加し、その力は確かにスロットの底面に向かう方向である、つまりアーチワイヤをスロットの底面に向かって押圧するという点を共通して持つ。ばね材料の剛性と、すべての例で比較的長い有効ばね長とによりばね力が決定されるが、それは、ばねのクランプ箇所とアーチワイヤでの嵌合箇所との間の距離にこの力が対応するからである。ばね剛性が充分に大きい場合のみ、必要とされるばねの閉じ力が発生し、これはばねが開位置へ移動する時のばねの塑性変形の危険を増大させる。
【０００８】
さらに、スロットの底面のみにアーチワイヤを押圧する閉じばねは、治療される歯の歯冠の高さに延在する軸を中心として、ブラケットが設けられた歯を回転させるトルクを発生させるのにはあまり適していない。
【０００９】
【特許文献１】米国特許第５，５６２，４４４号
【特許文献２】米国特許第４，４９２，５７３号
【特許文献３】米国特許第４，１４４，６４２号
【発明の開示】
【発明が解決しようとする課題】
【００１０】
本発明の目的は、開く際のばね損傷の危険を増大させることなくアーチワイヤをブラケットスロットに固定するための高い閉じ力を発生させることのできる、上述したタイプのブラケットを提供することである。ブラケットはまた、歯冠の高さに位置する軸を中心とする高いトルクを発生させることが可能である。
【課題を解決するための手段】
【００１１】
この目的は、閉じばねの弧形部に被覆される構造物の翼部歯肉区分が互いに対向する面に突起を有し、この突起が、所定の距離を置いて対向する自由端を有し、閉じばねの自由脚部が中央舌状区分を有し、この区分が、ベースプレートの上面に向かう方向において同じ略直角に屈曲するとともに、翼部歯肉区分の対向面の距離よりも短いが突起の自由端の間の距離よりは長い幅を少なくとも自由端区分に有して、舌状区分の残部が、この自由端区分の幅よりも広くないという点で、本発明により、本明細書の導入部分に記載されたブラケットにおいて達成される。
【００１２】
前記自由端区分は、閉じばねの弧形部に向かう方向に曲げられるため、閉じばねの閉位置において、突起の下縁よりも下に把持される。
【００１３】
そのため、簡単にするため舌部と呼ぶ舌状区分に隣接する閉じばねの自由端の横区分は、ブラケット構造物のスロットにわたって延在するとともに、挿入されたアーチワイヤをスロットに固定することのできる、互いに平行な弾性突出部である。舌部の自由端区分は突起の下に把持され、閉じばねの閉じ作用と安全効果は、ほぼ、舌部と突起と弾性突出部のみによって決定されるため、この効果は、翼部歯肉区分を囲繞するばね弧形部の性質とはほぼ無関係である。
【００１４】
舌部の自由端区分は、翼部の突起の間の距離よりも長い幅を有するのに対して、隣接する舌部の首部分は、この距離よりも短い幅を有する。このタイプの舌部は、ばねの閉位置において、端区分が突起より下に位置するのに対して、首部分が突起の間に延在する場合に適している。ゆえに、端区分が曲げを有していなくても、舌部はばねを閉位置に確実に固定する。
【００１５】
突出部と舌部との寸法は比較的小さいので、その有効ばね長も比較的短い。舌部と突出部の有効ばね長を大きくするには、舌部の付け根部分に非屈曲区分を設けるとよく、この非屈曲区分は、反対側の閉じばねの自由脚部の高さに位置するが、長手方向に延在するスロットによって両側が画定される。
【００１６】
閉じばねは、自由脚部から離れた弧形部の端にあることが望ましい延出脚部を含み、延出脚部は、構造物に固定係止される。このため、構造物に延在する平らな連続溝が、ベースプレートの上面より上かつアーチワイヤ収容スロットより下において構造部に形成され、弧形部よりも小さく形成されたばねの延出脚部は、溝に延在して自由端が溝から突出し、ここで、延出脚部とひいては閉じばね全体を構造物に固定するように折り曲げられる。代替例として、挿入スロットは、ばねの弧形部に被覆された翼部の下で構造物に設けられてもよく、延出脚部は挿入スロットに挿入されるが、この延出脚部は溶接、はんだ付け、かしめにより、ここに固定される。
【００１７】
また、舌部に近接して閉じばねに開口部が形成されると、好都合である。この穴は、針の形状の工具を収容するように設けられ、工具は、穴に嵌め込むことにより閉じばねを開閉するために使用され、この工具により、舌部の端が突起下の係止部から外される。
【発明の効果】
【００１８】
本発明の好適な実施例によれば、スロットに近接する、閉じばねの弧形部に被覆されていない構造物の翼部切縁区分に、肩部が形成される。閉じばねの閉位置では、閉じばねの自由脚部の横区分、つまり上述した弾性突出部がこの肩部に当接する。
【００１９】
閉じばねが閉位置に装着されると、翼部切縁区分の突起の各々が、頂点エッジに始まりアーチワイヤスロットから離間して延在するように傾斜した上面を有するという点で、開位置に固定される。屈曲した舌部の自由端は、閉じばねの開位置においてこの傾斜面に支持される。しかしばねは、開位置において固有の張力で装着されるように設計することもできる。この舌部の実施例によれば、翼部歯肉区分の突起の下に把持される舌部の曲げ端区分、またはこの突起の下に配置される舌部の幅広端区分により、ばねは閉位置においてこの元応力に反して保持される。
【００２０】
断面がスロットの全幅を占めるアーチワイヤが使用された場合でもばねの開閉を可能にするため、突起とスロットとの間には若干の距離が存在し、この距離は少なくとも、閉じばねの厚さと同じである。
【発明を実施するための最良の形態】
【００２１】
以下、図面に示された実施例に関して、本発明を詳細に説明する。
【００２２】
以下、図面を参照して本発明を詳細に説明する。図１から３によれば、ブラケットは、底面２（図５参照）と、４で示された構造物が突出する上面３とを含むベースプレート１で構成される。ベースプレート１は、不規則な輪郭を有するが、それは、図示された専用ブラケットが装着される歯の歯冠の輪郭に、この輪郭が適合しているからである。
【００２３】
構造物４は、相互距離を置いて互いに対向する２個の中間および末端翼部を有し、この翼部は５と６で表され、それぞれ歯肉区分と切縁区分５ａ，６ａと５ｂ，６ｂとに分割される。区分５ａ，５ｂは中間翼部５の例により図５で容易に区別可能であり、図５から７に例が図示されたアーチワイヤ８を収容するのに適した、間に延在するスロット７により相互に分離されている。以下、スロット７はアーチワイヤスロットと呼ばれる。
【００２４】
中間および末端翼部５，６を互いに分離する間隙は、図２で９と示され、ベースプレートの上面３に近接しているが、これについては図５を参照すること。２個のノーズ状突起１０が、翼部歯肉区分５ａ，６ａから互いに向かい合うようにこの間隙９に延出する。
【００２５】
構造物４の歯肉区分には、構造物４の中央部分においてベースプレートに延出して、ブラケットに属する閉じばねの端部を収容するのに適した平坦溝１１が、ベースプレート１の上に形成されている。詳細については後で説明する。
【００２６】
構造物４の翼部歯肉区分５ａ，６ａは、１２で表される上述した閉じばねによって被覆される。図３と４では、閉じばね１２は単一の部材として図示されている。この閉じばねは、幾つかの弧形部として延在する弧形部分１３を有し、その一上端にはほぼ直線状の端部分１４が隣接し、他の下端には、閉じばね１２の残部よりも狭い形状の直線延出部１５が隣接する。延出部１５は、構造物の溝１１に挿入され、溶接、はんだ付け、かしめによりここに固定される。閉じばねは、金属またはプラスチック製である。
【００２７】
直線端部分１４は、その中央部分に舌部１７を有し、図４に明示されているように舌部は、閉じばねの材料から両側で切り離されて、ブラケットのベースプレート１に向かって折り曲げられている。図５に図示されたばね１２の閉位置において、舌部１７は、スロット７に隣接するように配置されている。舌部は、後方に曲げられた端区分１７ａを有し、端区分は、ベースプレート１の上面３に隣接する突起１０のエッジより下に位置する。折り曲げられていない、閉じばね１２の直線端部分１４の横突出部１８は、アーチワイヤスロット７と、ここに挿入されるアーチワイヤ（図５）とを被覆するが、アーチワイヤは図１では図示されていない。アーチワイヤスロット７の側面を制限する壁とこの壁に近接して延在する突起１０との間の距離は、最低でも、閉じばね１２の材料の厚さと同じである。
【００２８】
中央において、閉じばね１２は、例えばかぎ針編みフックに類似した形状の針またはピン状の工具が貫通するのに適した開口部２０を有する。
【００２９】
図４に示された好都合な実施例では、閉じばね１２の舌部１７が、舌部１７が自由脚部１４に接続される付け根部分に、自由脚部１４に対して屈曲しておらず、長手方向に延在するスロットまたはリセス１４ａにより両側が画定された区分１７ｂを有する。これらスロット１４ａにより、閉じばね１２の他の寸法を変更せずに、舌部１７を懸架するのに有効な舌部の長さが大きくなる。舌部の有効長さを大きくすることは、アーチワイヤを挿入または変更する時に、舌部１７の塑性変形または破損を回避するのに役立つ。さらに、閉じばね１２の自由端を形成する突出部１８の有効長さも大きくなり、これも塑性変形を妨げる。
【００３０】
閉じばね１２はブラケット構造物に拘束状態で固定され、幾つかの弧形部を備える比較的大きく引き伸ばされた弓形区分１３を持つ結果、ばねが弾性リミットを越えて伸張する危険なく、つまり過度に引き伸ばされる危険なく、ばねを非常に大きく曲げ戻すことができる。
【００３１】
それにもかかわらず、アーチワイヤスロット７に挿入されたアーチワイヤ８では、大きな固定作用が達成される。この固定作用は、舌部１７および突出部１８によって決定的に左右されるが、ばねの弧形部１３によって左右されることは、ほとんど、または全くない。お分かりのように、舌部１７の下端区分１７ａは突起１０の下側に把持され、ばね１２を閉位置に保持する。舌部１７の付け根から２本の突出部１８が延出し、アーチワイヤスロット７に配置されたアーチワイヤ８の上に延在する。その結果、保持および固定作用全体は、舌部１７と突出部１８と突起１０の周囲の範囲で発生し、ばねの残部がこれに重大な影響を及ぼすことはない。ゆえに、いったん閉位置となると、閉じばねは舌部によりこの閉位置に保持されるので、解除されると閉じばね１２を開位置に押圧する元応力を受けた状態に閉じばねを保持することさえ可能である。
【００３２】
ブラケットの基本的構造は、ベースプレート１と構造物４とで構成され、金属または適当な塑性材料の鋳造または射出成形方法で製造されることが望ましい。閉じばね１２は、延出部１５を溝に挿入することによって位置決めされ、上述した方法でここに固定される。
【００３３】
ベースプレート１の底面２は、接着剤またはセメントにより歯の歯冠に装着されるのに適していることにも注意すべきである。この接着剤またはセメントは、図５から７に参照番号２１で概略図示されている。
【００３４】
本発明の長所は、図５と比較される図６と７に見られる。図５では、丸い断面を持つアーチワイヤ８がアーチワイヤスロット７に挿入され、アーチワイヤはスロットの断面積を占めていない。ばねの突出部１８は、アーチワイヤ８にほぼ応力を受けない状態でアーチワイヤ８に当接する。図６では、矩形断面のアーチワイヤ８がアーチワイヤスロット７に挿入されて、ワイヤがスロットの全高を占める。この結果、舌部下端１７ａを突起１０の下側にロックすることにより閉じばねが閉位置に固定されると、ばねの突出部１８が若干上向きに曲がることになる。図７では、矩形断面のアーチワイヤ８がスロット７に挿入され、アーチワイヤはスロット７の上縁から突出している。この結果、図のようにばね１２が閉位置に固定された場合に、突出部１８は上方向にさらに曲がることになる。図面に図示されているように、閉じばねの残部は、スロットの範囲の安定状態のタイプによって全く影響を受けないままである。
【００３５】
図８から１０を参照して、本発明のさらなる長所と閉じばね１２の開口プロセスについて説明する。明瞭化のため、断面図で通常使用される斜線は描かれていない。
【００３６】
図８は、図５に対応する状態における、丸い断面（一例として）のアーチワイヤが挿入されたブラケットを示す。閉じばねの未係止舌部１７の、後方に曲げられた端区分１７ａは、突起１０の下側エッジより下、つまりベースプレートに近接した突起１０のエッジより下に位置する。閉じばね１２の突出部１８は、アーチワイヤ８に隣接する。ピン状の工具２３が開口部２０に挿入されるが、この工具は突起１０の間に挿入できる。工具は、舌部１７の折り曲げ端区分１７ａの自由エッジと接触する。
【００３７】
図９において、工具２３は、舌部１７の折り曲げ端区分１７ａの自由エッジに押圧され、突起１０より下の拘束位置から舌部を外す。工具２３により、つまり工具をさらに少し傾けることにより、閉じばね１２は後方へさらに傾くため、突出部１８はスロット７から離れる（図１０）。閉じばね１２が後方へ充分に曲げられると、舌部１７の折り曲げられた下端区分１７ａが突起１０の上面に当接する。アーチワイヤスロット７から離間する方向に頂点エッジから延出する適当な傾斜をこの上面２２が持っていれば、閉方向に作用する元応力を閉じばね１２が持っていても、突起１０は、図１０に見られる開位置に閉じばね１２を保持することができる。
【００３８】
代替例として、閉じばねは開方向に作用する元応力を持っていてもよい。すると、突起１０に舌部１７を支持することは必要でない。いずれの場合も、アーチワイヤにおける突出部１８と舌部１７との固定作用にとって、閉じばね１２が或る元応力を持つことは重要でないことが、これら二つの代替例から分かる。材料定数と、突出部１８と舌部１７と突起１０の範囲での寸法決めとが、決定的要因である。
【００３９】
図１１には、図示および説明されたブラケットと二つの独立した特徴によって異なる代替実施例が示されている。このブラケットでは、切縁側のアーチワイヤスロット７の上端に隣接して肩部１９が設けられ、突出部１８はこの肩部に当接できる。アーチワイヤスロット７を完全に占めていないアーチワイヤ断面を除いて、突出部１８はアーチワイヤを押圧しない。
【００４０】
第二の異なる特徴は、弧形部１３の下端に延出部１５を有する閉じばね１２に関し、この延出部は非常に長いため、スロット７に対して横方向にブラケット構造物に形成された平坦な貫通溝１１’を貫通して、ここから突出し、ばね端１６を折り曲げることにより、ここに固定される。
【００４１】
方向性を持つ力をアーチワイヤに印加するための手段として、舌部が閉じばねの元応力とともに使用されるという点で、本発明によるブラケットによって達成される別の長所が、図１１を図１２，１３と組み合わせた場合に分かる。
【００４２】
図１１から１３は、矩形断面のアーチワイヤ８とともに使用された時の、本発明によるブラケットを示す。小さな断面、特に丸い断面のアーチワイヤでは、所望する最終位置に歯を動かすのに必要なトルクを歯に生じさせることができないという状況では、歯科矯正治療の進行により歯の不整合を治す場合、ブラケットを用いた歯科矯正治療の終了時に矩形断面のアーチワイヤが使用される。
【００４３】
歯科矯正治療の過程では、付け根部分に位置する軸を中心としてだけでなく、おそらくは歯冠の範囲に位置する軸を中心として歯を旋回させることが必要であろう。矩形断面のアーチワイヤスロットを備えるブラケットと組み合わせて矩形断面のアーチワイヤを使用すると、歯冠の領域に位置するトルクを、このブラケットが設けられた歯に発生させる。これについて、図１１から１３を参照して説明する。
【００４４】
連続するブラケットが設けられた例えば上顎の歯列では、すべてのブラケットのアーチワイヤスロットにアーチワイヤが延在する。スロット内の位置は、それぞれのブラケットによってだけではなく、すべてのブラケットの協働により決定され、この協働は、それぞれの歯列における歯の位置によって決定される。ゆえにアーチワイヤに協働して作用する力により、歯は互いに整列される。
【００４５】
図１１では、図示されたブラケットが設けられた歯（図示せず）の不整合によりスロット１７内でアーチワイヤ８が傾いており、その結果、アーチワイヤ８の外面とスロット７を画定する表面との間に、くさび形の間隙が生じる。横突出部１８と舌部１７とにより閉じばね１２はアーチワイヤに力を印加し、この力は、アーチワイヤスロット７の底部へワイヤを押圧するとともに、舌部１７と対向するスロット壁と当接させようとする。これらの力によってブラケットにはトルクが印加され、このトルクは図１１では矢印Ｔで示されている。
【００４６】
ブラケットが設けられたそれぞれの歯への、このトルクＴの前進作用により、歯は若干動くため、アーチワイヤスロット７内でのアーチワイヤ８の傾きは小さくなる。この傾きが小さくなった状態は、図１２に図示されている。トルクの影響がさらに進むと、アーチワイヤ８がアーチワイヤスロット７の底部に平面で当接するとともに、トルク１７と反対のアーチワイヤスロット７の制限壁に平面で当接する、図１３に図示された状態が最終的に得られる。その結果、図１１に見られるブラケットの比較的急な位置が、図１３のさらに傾斜した位置に変化する。ゆえに、ブラケットが装着された歯の位置が、これに応じて変化する。
【００４７】
図１３と１４は、本発明の特に好適な実施例を示す。図１４から明らかに分かるように、この実施例では、舌部の付け根に隣接する首区分１７ｃを舌部１７が有し、翼部歯肉区分５ａ，６ａの突起１０の間の距離、つまり翼部歯肉区分５ａ，６ａの間の間隙の幅より小さい幅を首区分１７ｃが有する。端区分１７ｄは首区分１７ｃに隣接し、この端区分１７ｄは、突起１０の相互距離よりも大きいが翼部歯肉区分５ａ，６ａの間の間隙の幅よりも小さい幅を有する。全体として、舌部１７は平坦で、閉じばね１２の自由脚部１４から部分的に切り抜かれ、ブラケットの底部と前方へ向かう方向へ曲げられているため、自由脚部１４内のこの部分的な切り抜きにより、Ｔ字形開口部１４ａが形成されている。
【００４８】
図１４に示されるように、舌部１７の幅広端区分１７ｄは、閉じばね１２の開位置において突起１０と当接できるため、閉じばねは開位置に保持される。他方、図１３に図示された閉位置へ前記閉じばねを移動させると、首部分１７ｃが突起１０の間を通過するため、舌部１７の幅広端区分１７ｄが突起１０より舌の当接位置に達して、閉じばね１２を閉位置にロックする。矯正歯科医は、ばね１４のＴ字形開口部１４ａにピン状工具を挿入することによってばねをロック解除し、アーチワイヤスロット７に近接する突起１０の表面上を端区分１７ｄが摺動するように、舌部１７の端区分１７ｄをロック位置から押し出す。
【００４９】
舌部１７の幅広端区分１７ｄは、最初に説明した実施例に見られる方法で曲げられることに言及すべきである。さらに、図１３と１４の実施例では、最初に述べた実施例に関して説明されて図４に示された方法で、ばね１２の自由脚部１４に舌部１７が形成されることに注意すること。
【００５０】
最後に、図面に示されたようにすべての翼部が突起または突出部を両方向に有して、アーチワイヤに作用する閉じばね１２の圧力がアーチワイヤをアーチワイヤスロットに安定して保持するのに充分高くない時には、特に歯科矯正治療の開始時に望ましいのであれば、通常の方法でブラケットに結紮を装着することが可能となることに言及すべきである。
【図面の簡単な説明】
【００５１】
【図１】完成ブラケットり第一実施例を示す平面図である。
【図２】上から見た図１のブラケットのベースプレートと構造物とを示す平面図である。
【図３】図１と２によるブラケットのための閉じばねを示す平面図である。
【図４】舌部の有効長を大きくした特に好都合な閉じばねの実施例を示す斜視図である。
【図５】図１のＶ−Ｖ線で切断した図１のブラケットの断面図であり、図１では明瞭化のため図示されていない丸いワイヤ断面を持つアーチワイヤがスロットに挿入されている。
【図６】矩形断面のアーチワイヤがスロットに挿入された、図５と同様の断面図である。
【図７】高さが大きくなった矩形断面のアーチワイヤがスロットに挿入された、図５と同様の断面図である。
【図８】開口プロセス開始時に開口工具が挿入された、図５に対応する図である。
【図９】開口プロセス進行中の図８と同様の図である。
【図１０】開口プロセス終了時の図８，９と同様の図である。
【図１１】アーチワイヤが閉じばねと協働して発生するトルク作用を説明するための、矩形断面のアーチワイヤがスロットに挿入されたブラケットの代替実施例を示す断面図である。
【図１２】アーチワイヤが閉じばねと協働して発生するトルク作用を説明するための、矩形断面のアーチワイヤがスロットに挿入されたブラケットの代替実施例を示す断面図である。
【図１３】アーチワイヤが閉じばねと協働して発生するトルク作用を説明するための、矩形断面のアーチワイヤがスロットに挿入されたブラケットの代替実施例を示す断面図である。
【図１４】ブラケットの別の実施例を示す断面図であり、ばねは舌部を有し、その端区分は突起より下に配置されている。
【図１５】ばねの開位置におけるブラケットを示す、図１４のブラケットの斜視図である。
【符号の説明】
【００５２】
１  ベースプレート
２  底面
３  上面
４  構造物
５，６  翼部
５ａ，６ａ  歯肉区分
５ｂ，６ｂ  切縁区分
７  スロット
８  アーチワイヤ
９  間隙
１０  突起
１２  閉じばね
１３  弧形部分
１４  自由脚部
１４ａ  リセス／スロット
１４ｂ  開口部
１５  直線延出部
１７  舌部
１７ａ  端区分
１７ｂ  非屈曲区分
１７ｃ  首部分
１７ｄ  自由端部
１８  横突出部
２０  開口部
２１  接着剤／セメント
２２  突起上面
２３  工具
【図１】
0004467330.tif 000002
【図２】
0004467330.tif 000003
【図３】
0004467330.tif 000004
【図４】
0004467330.tif 000005
【図５】
0004467330.tif 000006
【図６】
0004467330.tif 000007
【図７】
0004467330.tif 000008
【図８】
0004467330.tif 000009
【図９】
0004467330.tif 000010
【図１０】
0004467330.tif 000011
【図１１】
0004467330.tif 000012
【図１２】
0004467330.tif 000013
【図１３】
0004467330.tif 000014
【図１４】
0004467330.tif 000015
【図１５】
0004467330.tif 000016